(57)【要約】      （修正有）【課題】回収扉の扉用シリンダー錠がピッキング等でこじ開けられてしまっても、集金ボックス内のコインの盗難を有効に防ぐことができるようにしたコインロッカーのコイン回収装置を提供する。【解決手段】縦方向に配列した複数段の収納庫の下方側にてコインＰを纏めて回収するためのボックス用シリンダー錠２１付きの集金ボックス１４を前面側から引き出し可能に収容するケーシング１２と、ケーシング１２の前面側を開閉するための扉用シリンダー錠１３ａ付きの回収扉１３とを備え、前記両シリンダー錠２１、１３ａによって内外二重の施錠構造に形成する。【選択図】図４
0003184559.tif 000002
【実用新案登録請求の範囲】
【請求項１】
縦方向に配列された複数段の収納庫の下方側にてコインを纏めて回収するためのボックス用シリンダー錠付きの集金ボックスを前面側から引き出し可能に収容するケーシングと、ケーシングの前面側を開閉するための扉用シリンダー錠付きの回収扉とを備え、前記両シリンダー錠によって内外二重の施錠構造に形成して成ることを特徴とするコインロッカーのコイン回収装置。
【請求項２】
扉用シリンダー錠は、回収扉の開放縁端側に設けられ、これに対応してケーシングの前側壁面端部には係止孔が形成され、扉用シリンダー錠に挿入された扉キーの回転操作によって揺動するラッチ片を、ケーシングに形成された係止孔に係合させることで、ケーシングからの回収扉の開放を阻止するものとして成る請求項１記載のコインロッカーのコイン回収装置。
【請求項３】
ボックス用シリンダー錠は、集金ボックスの前面側に設けられ、ボックス用シリンダー錠に挿入されたボックスキーの回転操作によって揺動するラッチ片を、ケーシングに形成された係止孔に係合させることで、ケーシングからの集金ボックスの引き出しを阻止するものとして成る請求項１または２記載のコインロッカーのコイン回収装置。
【考案の詳細な説明】
【技術分野】
【０００１】
本考案は、コインロッカーの各収納庫に設けられているコイン投入口に投入されたコインをコインロッカーの下方側にて纏めて回収するための二重施錠構造付きの集金ボックスを備えたコインロッカーのコイン回収装置に関する。
【背景技術】
【０００２】
従来、コインロッカーは、収納扉を開けて収納庫内に荷物を入れ、コイン投入口から所定枚数のコインを投入してから収納扉を閉め、予めキーシリンダーに挿入されているカスタムキーを施錠方向に回動してから引き抜き、利用者はこのカスタムキーを所持するものとしている。このとき、コイン投入口から投入されて有料硬貨通路内に一時停留していたコインは、収納扉を閉めてからカスタムキーをカスタムキー挿入シリンダーから引き抜くことで、下方側に設けられたシリンダー錠付きの集金ボックス内に落下されるものとなっている。
【０００３】
すなわち、各収納庫の有料硬貨通路は、下方側の集金ボックスにコインシュートを介して連通されており、コイン回収時にはシリンダー錠を解錠してから集金ボックスを前方に引き出すことで、内部のコインが取り出せるようになっている。その後、空となった集金ボックスを収納してシリンダー錠を施錠するようになっている。
【先行技術文献】
【特許文献】
【０００４】
【特許文献１】特になし
【考案の概要】
【考案が解決しようとする課題】
【０００５】
しかしながら、従来においては、集金ボックスは、自体のシリンダー錠によって施錠、解錠が行われることから、これをピッキング等で一度こじ開けてしまえば、容易に集金ボックス内のコインが盗み取られてしまうという問題点を有していた。
【０００６】
そこで、本考案は叙上のような従来存した諸事情に鑑み創出されたもので、コインロッカーの各収納庫に設けられているコイン投入口に投入されたコインを回収するための集金ボックスを備えたコインロッカーにおいて、シリンダー錠がピッキング等でこじ開けられて集金ボックス内のコインが盗み取られてしまうのを未然に防止できるようにした二重施錠構造付きのコインロッカーのコイン回収装置を提供することを目的とする。
【課題を解決するための手段】
【０００７】
上述した課題を解決するために、本考案にあっては、縦方向に配列された複数段の収納庫の下方側にてコインを纏めて回収するためのボックス用シリンダー錠付きの集金ボックスを前面側から引き出し可能に収容するケーシングと、ケーシングの前面側を開閉するための扉用シリンダー錠付きの回収扉とを備え、前記両シリンダー錠によって内外二重の施錠構造に形成して成ることを特徴とする。
【０００８】
扉用シリンダー錠は、回収扉の開放縁端側に設けられ、これに対応してケーシングの前側壁面端部には係止孔が形成され、扉用シリンダー錠に挿入された扉キーの回転操作によって回動するラッチ片を、ケーシングに形成された係止孔に係合させることで、ケーシングからの回収扉の開放を阻止するものとして成る。
【０００９】
ボックス用シリンダー錠は、集金ボックスの前面側に設けられ、ボックス用シリンダー錠に挿入されたボックスキーの回転操作によって回動するラッチ片を、ケーシングに形成された係止孔に係合させることで、ケーシングからの集金ボックスの引き出しを阻止するものとして成る。
【考案の効果】
【００１０】
本考案によれば、コインロッカーの各収納庫に設けられているコイン投入口に投入されたコインを回収するための集金ボックスを備えたコインロッカーにおいて、シリンダー錠がピッキング等でこじ開けられて集金ボックス内のコインが盗み取られてしまうのを有効に防止することができる。
【００１１】
すなわち、本考案は、縦方向に配列された複数段の収納庫の下方側にてコインを纏めて回収するためのボックス用シリンダー錠付きの集金ボックスを前面側から引き出し可能に収容するケーシングと、ケーシングの前面側を開閉するための扉用シリンダー錠付きの回収扉とを備え、前記両シリンダー錠によって内外二重の施錠構造に形成して成るので、回収扉の扉用シリンダー錠がピッキング等でこじ開けられてしまっても、次の段階で再度ボックス施錠手段を解錠しなければ集金ボックスが引き出せないことから、集金ボックス内のコインの盗難防止の効果を極力有効なものとすることができる。要するに、回収扉の扉用シリンダー錠をピッキング等でこじ開けてから、ボックス施錠手段を再度のピッキング等でこじ開けるという二度手間により、盗みに対する諦め感を持たせることで、時間、労力はもとより、心理的にも盗難による被害を極力防ぐことができる。
【００１２】
扉用シリンダー錠は、回収扉の開放縁端側に設けられ、これに対応してケーシングの前側壁面端部には係止孔が形成され、扉用シリンダー錠に挿入された扉キーの回転操作によって回動するラッチ片を、ケーシングに形成された係止孔に係合させることで、ケーシングからの回収扉の開放を阻止するものとしたので、扉用シリンダー錠のラッチ片とケーシングの係止孔という簡易な構成によって、回収扉の内側にある集金ボックスの悪意による引き出しを有効に防止することができる。
【００１３】
ボックス用シリンダー錠は、集金ボックスの前面側に設けられ、ボックス用シリンダー錠に挿入されたボックスキーの回転操作によって回動するラッチ片を、ケーシングに形成された係止孔に係合させることで、ケーシングからの集金ボックスの引き出しを阻止するものとしたので、前記回収扉の扉用シリンダー錠がピッキング等でこじ開けられてしまっても、次の段階でボックス用シリンダー錠を解錠しなければ集金ボックスが引き出せないことから、集金ボックス内のコインの盗難をかなり確実に防ぐことができる。
【図面の簡単な説明】
【００１４】
【図１】本考案を実施するための一形態を示すコインロッカーの全体斜視図である。
【図２】同じくコイン回収装置の要部を示し、（ａ）は回収扉を扉キーによって開放した状態の斜視図、（ｂ）は集金ボックスをボックスキーによって解錠する状態の斜視図、（ｃ）は解錠後の集金ボックスを引き出した状態の斜視図である。
【図３】同じく回収扉の扉用シリンダー錠の構成の一例を示し、（ａ）は横断面図、（ｂ）は係止孔とラッチ片の係止関係を示す正面図である。
【図４】同じくコイン回収装置の構成の一例を示し、（ａ）は閉鎖状態にある回収扉を扉キーによって解錠する縦断面図、（ｂ）は施錠状態にある集金ボックスをボックスキーによって解錠する縦断面図、（ｃ）はケーシングから集金ボックスを引き出している状態の縦断面図である。
【考案を実施するための形態】
【００１５】
以下、図面を参照して本考案の実施の一形態を詳細に説明する。
本実施形態におけるコインロッカー１は、図１、図２および図４に示すように、例えば縦１列５段等の収納庫１Ａ、１Ｂ、１Ｃ、１Ｄ、１Ｅを備えており、各収納庫１Ａ、１Ｂ、１Ｃ、１Ｄ、１Ｅには取っ手２ａ付きの収納扉２を設け、その収納扉２に対応して各々に料金表示用の液晶表示パネル３、コイン投入口４、収納庫用シリンダー錠５等が設けられている。また、コインロッカー１の最下部には、各段の収納庫１Ａ、１Ｂ、１Ｃ、１Ｄ、１Ｅのコイン投入口４から投入されたコインＰを、不図示の有料硬貨通路から下方のコインシュートＳを介して下方側にある集金ボックス１４内に落下回収するための後述する扉用シリンダー錠１３ａとボックス用シリンダー錠２１との内外二重の施錠構造によるコイン回収装置１１が設けられている。
【００１６】
コイン回収装置１１は、図２乃至図４に示すように、最下段の収納庫１Ａの下側の台座となる部分において、上方の各コイン投入口４の直下に対応した箇所に設けられており、このコイン回収装置１１は、コインＰを纏めて回収するための集金ボックス１４を引き出し形態で収容するケーシング１２と、ケーシング１２の前方側を開閉するための扉用シリンダー錠１３ａ付きの回収扉１３とを備えている。
【００１７】
扉用シリンダー錠１３ａは、図２および図３に示すように、回収扉１３の開放縁端側に設けられ、これに対応してケーシング１２の前側壁面端部には係止孔１２ｂが形成されている。扉用シリンダー錠１３ａは、その後側に突出した軸部１３ｂにラッチ片１３ｃがナット１３ｄによって固定されており、ラッチ片１３ｃは扉キーＫ１によって軸部１３ｂを介し回動操作される。
【００１８】
回収扉１３が扉キーＫ１によって解錠されている状態で、ケーシング１２が回収扉１３によって閉鎖された際には、ラッチ片１３ｃは係止孔１２ｂの内奥側に挿入される。そして、回収扉１３が扉キーＫ１によって施錠操作されると、ラッチ片１３ｃの先端が係止孔１２ｂの斜下に形成されている円弧状縁部の内側に係止されることで、回収扉１３の開放を阻止したロック状態となる。こうして、扉キーＫ１の操作によって、閉鎖した回収扉１３の施錠、解錠が行えるものとなっている。
【００１９】
集金ボックス１４には、図４（ａ）に示すように、ケーシング１２からの集金ボックス１４の悪意による引き出しを防止するための例えばボックス用シリンダー錠２１を設けてある。このボックス用シリンダー錠２１は、集金ボックス１４の前面中央に設けられ、このボックス用シリンダー錠２２に対応すべくケーシング１２の上壁前方側には係止孔１２ａが形成されている。
【００２０】
すなわち、ボックス用シリンダー錠２１は、その後側に突出した軸部２２にラッチ片２３がナット２４によって固定されており、ラッチ片２３はボックスキーＫ２（図４（ｂ）および（ｃ）参照）によって軸部２２を介し回動操作される。また、集金ボックス１４の前面上縁は後方に折り曲げられて補強用のフランジ部１４ａとなっており、このフランジ部１４ａには、回動するラッチ片２３を上方へ突出させるためのスリット１４ｂが形成されている。さらに、集金ボックス１４内側には、ボックス用シリンダー錠２１の取付側とコインＰの収納側とを区画するための仕切部１４ｃが立脚形成されている。
【００２１】
図２（ｂ）、図４（ｂ）に示すように、回収扉１３が開放された状態で、ボックス用シリンダー錠２１にボックスキーＫ２を挿入し、このボックスキーＫ２の操作によってラッチ片２３を解錠方向に回動すると、ラッチ片２３は、ケーシング１２の係止孔１２ａから離脱解放され、これによりケーシング１２からの集金ボックス１４の手前への引き出しが可能となるものとしている。
【００２２】
次に、以上のように構成された形態についての使用の一例について説明する。
上記コイン回収装置１１において、コインＰを回収する場合には、先ず、図２（ａ）、図３（ａ）、図３（ｂ）、図４（ａ）に示すように、扉用シリンダー錠１３ａに扉キーＫ１を挿入し、この扉キーＫ１の操作によってラッチ片１３ｃを解錠方向に回動する。すると、ラッチ片１３ｃの先端は、係止孔１２ｂの斜下に形成されている円弧状縁部の内側から離脱し、ラッチ片１３ｃは係止孔１２ｂから解放可能な状態となる。これにより回収扉１３を開くことでケーシング１２の前面部が解放される。
【００２３】
図２（ｂ）、図４（ｂ）に示すように、回収扉１３が開放された状態で、集金ボックス１４のボックス用シリンダー錠２１にボックスキーＫ２を挿入し、このボックスキーＫ２の操作によってラッチ片２３を解錠方向に回動する。すると、ラッチ片２３は、ケーシング１２上壁の係止孔１２ａから離脱解放される。
【００２４】
図２（ｃ）、図４（ｃ）に示すように、ボックス用シリンダー錠２１がボックスキーＫ２によって解錠された状態のままで、ケーシング１２から集金ボックス１４を引き出し、内部のコインＰを回収する。
【００２５】
コインＰ回収後には、ケーシング１２に空の集金ボックス１４を挿入し、ボックス用シリンダー錠２１をボックスキーＫ２によって施錠し、ボックスキーＫ２を取り外す。そして、回収扉１３を閉めてから扉用シリンダー錠１３ａを扉キーＫ１によって施錠操作すると、ラッチ片１３ｃの先端が係止孔１２ｂの斜下に形成されている円弧状縁部の内側に係止されることで、回収扉１３の開放を阻止したロック状態となる。その後、扉キーＫ１は取り外してボックスキーＫ２と共に保管する。
【００２６】
また、悪意により回収扉１３の扉用シリンダー錠１３ａをピッキング等でこじ開けても、ボックス用シリンダー錠２１を再度のピッキング等でこじ開けなければ集金ボックス１４を引き出すことができない。このように内外二重の施錠構造をピッキングしてこじ開けるという二度手間を要することにより、盗みに対する諦め感を持たせることができ、盗難による被害が従来品と比べて一層有効に防止される。
【符号の説明】
【００２７】
Ｐ                            コイン
Ｓ                            コインシュート
１Ａ、１Ｂ、１Ｃ、１Ｄ、１Ｅ  収納庫
Ｋ１                          扉キー
Ｋ２                          ボックスキー
１                            コインロッカー
２                            収納扉
２ａ                          取っ手
３                            液晶表示パネル
４                            コイン投入口
５                            収納庫用シリンダー錠
１１                          コイン回収装置
１２                          ケーシング
１２ａ                        係止孔
１２ｂ                        係止孔
１３                          回収扉
１３ａ                        扉用シリンダー錠
１３ｂ                        軸部
１３ｃ                        ラッチ片
１３ｄ                        ナット
１４                          集金ボックス
１４ａ                        フランジ部
１４ｂ                        スリット
１４ｃ                        仕切部
２１                          ボックス用シリンダー錠
２２                          軸部
２３                          ラッチ片
２４                          ナット
【図１】
0003184559.tif 000003
【図２】
0003184559.tif 000004
【図３】
0003184559.tif 000005
【図４】
0003184559.tif 000006